(57)【特許請求の範囲】
【請求項１】
記録媒体が収容されたカセットケースに貼着するカセットラベルであって、
記憶部と信号処理部を有する集積回路と、
前記集積回路に対して少なくとも信号の転送を行うアンテナ手段と、
前記集積回路と前記アンテナ手段を収容し、任意の文字・図形等が記載可能な表面を有し、任意の箇所で切断可能なラベル基体と、
当該ラベル基体の前記表面とは反対側の面に設けられ、当該カセットラベルを前記カセットケースに貼着するための接着部材と、
前記接着部材を被覆するように付着され、当該カセットラベルを前記カセットケースに貼着する際に剥離される剥離紙であって、複数種類のカセットケースに当該カセットラベルを貼着する際の適切な切断位置が前記各カセットケースに対応して記載されている剥離紙と
を有し、
前記集積回路と前記アンテナ手段が収容されている前記ラベル基体の領域に対応する当該剥離紙の領域に、当該領域内に前記集積回路と前記アンテナ手段が収容されていることが明示されている
カセットラベル。
【請求項２】
前記カセットラベルは、何ら切断を行わない状態では３／４インチカセットのＬカセットのケースに貼着するのに適したサイズであり、当該カセットラベルの剥離紙に、当該３／４インチカセットのＭカセットおよびＳカセットに貼着する際に好適なラベル切断位置が記載されている
請求項１記載のカセットラベル。
【請求項３】
前記カセットラベルは、何ら切断を行わない状態では１／２インチカセットのＶＨＳカセットのケースに貼着するのに適したサイズであり、当該カセットラベルの剥離紙に、当該１／２インチカセットのベータカセットに貼着する際に好適なラベル切断位置が記載されている
請求項１記載のカセットラベル。
【発明の詳細な説明】
【０００１】
【発明の属する技術分野】
本発明は、たとえばビデオカセットテープなどのテープ状記録媒体がケースに収容されて用いられる記録媒体のそのカセットケースに装着して使用する、記録したビデオデータに関する情報などを記録することのできるカセットラベルに関する。
【０００２】
【従来の技術】
テレビカメラなどの撮像装置により撮影され、ビデオテープに記録されるビデオデータについては、その内容等の情報を容易に確認できるような状態で記録したい、また保存したいという要望がある。
特に、テレビジョン放送局において取材業務で使用する場合などにおいては、ビデオカムコーダなどにより撮影した多数のカット（連続して撮影された映像、あるいは、そのビデオデータ）の中から必要なカットを高速に選択して編集する必要がある。
【０００３】
これまで通常は、そのような記録したビデオデータの情報は、撮影時に別途紙面などにメモをしておき、再生時や編集時には、そのメモを見ながら所望のビデオデータを高速に選択するような方法が用いられている。
また、カセットライブラリなどの大量のビデオカセットを自動的に取り扱うシステムにおいては、バーコードが印刷されたカセットラベルを用いて、ビデオカセットテープの管理を行っている。
【０００４】
また近年、１／４インチデジタルビデオカセットテープなどにおいては、ビデオテープを収容するカセットにフラッシュメモリなどの半導体メモリ素子を組み込み、記録時間・記録内容・タイトルなどの情報を記録できるようにしているものもある。
そのようなビデオカセットテープに組み込まれた半導体メモリ素子に対するデータの記録および再生は、たとえばカセットケースの背面部の誤消去防止用ツメの近傍に設けられ、たとえば接地、電源、クロック、データの４本からなる電極を介して接触方式により行うものである。
【０００５】
しかしながら、そのようなこれまでの方法においては、種々の使用形態の制限や不便な点がある。
たとえば、紙面にメモをとる方法では、その紙を紛失する場合が生じたり、そのメモに基づいた処理を自動化できない。バーコードをラベルに印刷する方法においては、記録できる情報量に限りがあり十分ではない。
また、半導体メモリを用いる方法においては、電極を適切に接触させなければならず、その位置決めを精度よく行わなければいけないという問題や、埃の付着などにより接触不良になるという問題があった。
また、既にビデオデータが記録されている、たとえばテレビジョン放送局などの数十万本というような膨大な量のビデオカセットテープに対して、その記録されているビデオデータの情報を電子化して保持するためには、それらの方法は適切ではないという問題もある。
【０００６】
そこで、本願発明者らは、既に特願平８−３００４４９号により出願しているような、半導体メモリなどの集積回路を収容し、非接触方式により外部とデータの転送が可能なカセットラベルを提案している。このカセットラベルにより記録したビデオデータの付加的な情報を管理するようにすれば、前述したような種々の問題は解決される。さらに、既にビデオデータの記録されているビデオカセットテープに対しても容易に適用することができる。
【０００７】
そのカセットラベルの構造を図８を参照して説明する。
図８は、そのカセットラベル１の構成を示す図であり、（Ａ）は上面図、（Ｂ）は側面図である。
図示のごとく、カセットラベル１は、ラベル基体１０の中に、ＩＣ２０と、アンテナ３０が埋設されて形成されている。
このラベル基体１０は、ラベル本体１１のビデオカセットテープに貼着する面側に両面接着剤１７が塗布され、さらにこの両面接着剤１７が剥離紙１８により被覆されて構成されており、カセットラベル１をビデオカセットテープに貼着する際にはこの剥離紙１８を剥離することにより両面接着剤１７によりラベル本体１１がビデオカセットテープに貼着される。
【０００８】
また、ラベル本体１１の両面接着剤１７が塗布されたのとは反対側の面、すなわちビデオカセットテープに貼着した時に表面となる面は記入面１１１となっており、たとえばビデオテープに記録したビデオデータのタイトル、記録日時、記録場所などの情報を記載可能になっている。
また、図示のごとく、ＩＣ２０はカセットラベル１の長手方向の端部に、アンテナ３０は、カセットラベル１の中央部に配置されており、それらがアンテナ３０の一部により接続されている。
そして、このようなカセットラベル１は、図９に示すように、剥離紙が剥がされて両面接着剤１７によりビデオカセットテープ２の背面のラベル形状に合わせて形成された凹部５４に貼着される。カセットラベル１の表面には任意の筆記用具により文字や絵などの任意の図形が記載され、ビデオカセットテープ２の識別などに用いられる。
【０００９】
【発明が解決しようとする課題】
しかしながら、そのようなカセットラベルは、カセットケースの張り付け部の凹部の形状に合わせて製造されており、使用するビデオカセットごとに異なるという問題がある。
たとえば、Ｄ−１，Ｄ−２（３／４インチカセット）のカセットにおいては、Ｓカセット、Ｍカセット、Ｌカセットの３つの種類がある。また、１／２インチカセットにおいては、ベータカセットとＶＨＳカセットによって長さが異なり、ラベルも違うラベルとなってしまう。
このように、ラベルの種類が増えると、製造コストがあがるばかりでなく、ユーザにとっても発注や在庫管理などでわずらわしさが生じる。
【００１０】
そこで、大きなカセットケースに貼着する大きなラベルを基準にして、それより小さなラベルはその大きなラベルを切断して用いることが考えられる。そうすれば元のカセットラベルは１種類でよいからである。
しかし、そのような使用方法においても問題が生じる。
たとえば、図１０（Ａ）に示すようなカセットラベルを、図１０（Ｂ）〜（Ｃ）に示すように小さく切断して使用する場合について考える。なお、図１０においてハッチング部分が切り取る部分である。その結果、図１０より明らかなように、切断の仕方は人により様々であり、その切断の仕方によって、作成された小さなラベルにおけるアンテナ３０の位置がばらついてしまう。
【００１１】
すなわち、そのように切断して作成したラベルを貼着した場合、ＶＴＲ側のリード／ライトモジュール位置にラベルのアンテナが対向されないことになり、適切にデータの送受信が行えなくなるという問題が生じる。
また、図１０（Ｃ）に示すようにラベルを切断したような場合には、アンテナ３０とＩＣ２０とが切断されてしまい、これも使用不可能となってしまう。もちろんＩＣ２０とアンテナ３０の位置を避けて切断すればよいが、カセットラベルの外部からはＩＣ２０およびアンテナ３０の位置はわからないため、適切に避けることもできない。
【００１２】
また、カセットラベルの別の使用方法として、たとえば記録したい情報が１枚のラベルの記録容量を越えてしまう時に、コメント等の外部入出力機器からしか読み書きしない情報、すなわち、ＶＴＲ装置などでは参照しない情報に関しては、ＶＴＲ内のリード／ライトモジュール位置とカセットラベル内のアンテナ位置が対向する必要がなく、必ずしも背ラベル位置に貼着する必要がないことから、別途小さく切断したラベルを作成し、たとえばインデックスラベル位置に貼って使用することも考えられる。
しかしそのような場合においても、図１０（Ｃ）に示したように、ＩＣ２０とアンテナ３０を切断しない保証はなく、使用不可能にしてしまう場合が生じていた。
【００１３】
したがって、本発明の目的は、カセットラベルを種々のカセットテープに丁度合うように適切な大きさで、さらに、収容されているアンテナやＩＣを切断してしまうことなく、適切に切断することができ、これにより種類の増加を防ぎ容易に管理できるような、カセットラベルを提供することにある。
【００１４】
【課題を解決するための手段】
前記課題を解決するために、剥離紙にカセットケースの種類に応じた切断位置と、ＩＣおよびアンテナが収容されている位置を明示することにより、どこを切断すればよいかが容易に判断できるようにした。
【００１５】
したがって、本発明のカセットラベルは、記録媒体が収容されたカセットケースに貼着するカセットラベルであって、記憶部と信号処理部を有する集積回路と、前記集積回路に対して少なくとも信号の転送を行うアンテナ手段と、前記集積回路と前記アンテナ手段を収容し、任意の文字・図形等が記載可能な表面を有し、任意の箇所で切断可能なラベル基体と、当該ラベル基体の前記表面とは反対側の面に設けられ、当該カセットラベルを前記カセットケースに貼着するための接着部材と、  前記接着部材を被覆するように付着され、当該カセットラベルを前記カセットケースに貼着する際に剥離される剥離紙であって、複数種類のカセットケースに当該カセットラベルを貼着する際の適切な切断位置が前記各カセットケースに対応して記載されている剥離紙とを有し、前記集積回路と前記アンテナ手段が収容されている前記ラベル基体の領域に対応する当該剥離紙の領域に、前記集積回路と前記アンテナ手段が収容されていることを示す記載が行われている。
【００１６】
特定的には、前記カセットラベルは、何ら切断を行わない状態では３／４インチカセットのＬカセットのケースに貼着するのに適したサイズであり、当該カセットラベルの剥離紙に、当該３／４インチカセットのＭカセットおよびＳカセットに貼着する際に好適なラベル切断位置が記載されている。
また特定的には、前記カセットラベルは、何ら切断を行わない状態では１／２インチカセットのＶＨＳカセットのケースに貼着するのに適したサイズであり、当該カセットラベルの剥離紙に、当該１／２インチカセットのベータカセットに貼着する際に好適なラベル切断位置が記載されている。
【００１７】
【発明の実施の形態】
本発明の一実施例について図１〜図５を参照して説明する。
本実施例においては、ビデオカセットテープの背面に貼着され、たとえば記録されているビデオデータのタイトルなどを記載することができる縦長で紙状のラベルであるカセットラベルについて説明する。
【００１８】
まず、そのカセットラベルの構成および構造について図１〜図３を参照して説明する。
図１は、そのカセットラベル１の構成を示す図であり、（Ａ）は上面図、（Ｂ）は側面図、（Ｃ）は裏面図である。
図示のごとく、カセットラベル１は、ラベル基体１０の中に、ＩＣ２０と、アンテナ３０が埋設されて形成されている。
このラベル基体１０は、ラベル本体１１のビデオカセットテープに貼着する面側に両面接着剤１７が塗布され、さらにこの両面接着剤１７が剥離紙１８により被覆されて構成されており、カセットラベル１をビデオカセットテープに貼着する際にはこの剥離紙１８を剥離することにより両面接着剤１７によりラベル本体１１がビデオカセットテープに貼着される。
【００１９】
また、この剥離紙１８には、図１（Ｃ）に示すように、Ｍカセット用の切断位置１８１，１８４、Ｓカセット用の切断位置１８２，１８３、および切断禁止マーク１８７が記載されている。したがって、カセットラベル１は、そのまま用いればＬカセット用のカセットラベル１ａとなり、Ｍカセット用の切断位置１８１，１８４で切断すれば、Ｍカセット用のカセットラベル１ｂとなり、Ｓカセット用の切断位置１８２、１８３で切断すれば、Ｓカセット用のカセットラベル１ｃとなる。また、ビデオカセットテープの任意の位置に貼着するために、任意の位置で切断して任意の形状のラベルを作成したい場合も、切断禁止マーク１８７内を切断しない限りＩＣ２０とアンテナ３０を切断することはなく、その機能は保障される。
【００２０】
ラベル本体１１の両面接着剤１７が塗布されたのとは反対側の面、すなわちビデオカセットテープに貼着した時に表面となる面は記入面１１１となっており、たとえばビデオテープに記録したビデオデータのタイトル、記録日時、記録場所などの情報を記載可能になっている。
また、図示のごとく、ＩＣ２０はカセットラベル１の長手方向の端部に、アンテナ３０は、カセットラベル１の中央部に配置されており、それらはアンテナ３０の一部により接続されている。
【００２１】
図２は、そのカセットラベル１の具体的構造を示す図である。
カセットラベルは、ラベル本体１１と両面接着剤１７とから構成されており、さらにラベル本体１１は、図２に示すように、コート紙１２、補強材１４、ポリイミド基板１６が感圧性接着剤１３，１５により接着され一体的に形成された構成である。
コート紙１２は、表面、すなわち補強材１４と対抗する面とは反対側の面が、たとえばビデオテープに記録したビデオデータのタイトル、記録日時、記録場所などの情報を記載可能になっている。
【００２２】
補強材１４は、カセットラベル１に曲げなどの力が加わっても、カセットラベル１の各部材またはＩＣ２０やアンテナ３０が割れたり切断されることの無いように一定の強度を確保するための部材である。この補強材１４には、ポリイミド基板１６と貼り合わされた時にＩＣ２０と重なる位置に、穴１４１が形成されており、ＩＣ２０の厚みを吸収するようになっている。また、この穴１４１により、コート紙１２、補強材１４およびポリイミド基板１６を貼り合わせた時にＩＣ２０の周辺に形成される空間には、ＩＣ保護材が充填される。
【００２３】
ポリイミド基板１６は、表面にＩＣ２０およびアンテナ３０が実装される基板である。本実施例のカセットラベル１においては、ＩＣ２０はポリイミド基板１６の一方の端部に実装し、アンテナ３０はポリイミド基板１６の中央部に配線されている。
両面接着剤１７は、ラベル本体１１をビデオカセットテープに貼着するための部材であり、一方の面がポリイミド基板１６に貼着され、他方の面には剥離紙１８が貼り合わされている。したがって、このカセットラベル１を使用する時には、使用者はこの剥離紙１８を剥がしてカセットラベル１をビデオカセットテープに貼着する。
【００２４】
次に、ＩＣ２０およびアンテナパタン３０について説明する。
ＩＣ２０は、記憶保持可能なメモリ部と信号処理部を有する集積回路である。本実施例のカセットラベル１においては、ＩＣ２０は２Ｋバイトの記憶容量のメモリを有する。また、ＩＣ２０に具わる信号処理部は、１３ＭＨｚのクロックで動作するプロセッサ部であり、メモリに対するデータのリード／ライト、アンテナ３０を介した外部リード／ライトモジュールとのデータの転送などの処理を行う。
アンテナ３０は、カセットラベル１と外部リード／ライトモジュールとの間で接点を持たずに電力の供給および、信号の転送を行うためのアンテナである。
【００２５】
次にこのカセットラベルの使用形態、および、適用形態について説明する。
前述したように、このカセットラベルは剥離紙１８に記載されている切断位置で切断することにより、Ｌカセット、Ｍカセット、Ｓカセットに各々適切に用いることのできる大きさのカセットラベル１ａ，１ｂ，１ｃとなる。また、切断禁止マーク１８７内を切断せずに残して任意の形状に切断することにより、たとえばビデオカセットテープのインデックス貼着部に貼着して用いるのに適したサイズのラベル１ｄとなる。
このように切断されて大きさの整えられたカセットラベルは、図３および図４に示すように剥離紙が剥がされて両面接着剤１７によりビデオカセットテープの背面のラベル形状に合わせて形成された凹部、またはビデオカセットテープのインデックス貼着部に貼着される。
【００２６】
図３に示すように通常の背ラベルとして用いる時には、カセットラベルの向きは任意でよい。剥離紙１８に記載されている切断位置で切断している限り、カセットラベルのアンテナ３０はカセットラベルの中央付近になるので、カセットラベル１をどの様な向きに貼着してもビデオカセットテープの凹部の中央付近にアンテナ３０が来ることになり、外部のリード／ライトモジュールはその位置の近傍に外部アンテナを配置して通信を行えばよい。
そして、カセットラベル１の表面には任意の筆記用具により文字や絵などの任意の図形が記載され、ビデオカセットテープ２の識別などに用いられる。なお、このカセットラベル１の表面に記載される文字は、ビデオカセットテープにカセットラベル１が貼着される前に記載したり、予め印刷されていてもよい。
【００２７】
図５は、このカセットラベルの装着されたビデオカセットテープ３を、ビデオテープレコーダ（ＶＴＲ）装置に装着し、カセットラベル１内のＩＣ２０に対してデータの転送が行われる状態を示す図である。
図５に示すように、カセットラベルの装着されたビデオカセットテープ３がＶＴＲ装置に装着されると、表面部の蓋５５が開けられて、ビデオカセットテープ３内に収容されていた図示せぬビデオテープが引き出され、ビデオデータ記録再生装置のヘッドに当接される。
【００２８】
一方で、ビデオカセットテープ３の背面部にはその中央付近にＶＴＲ装置本体に設けられたラベルリード／ライトモジュール９１から出されたアンテナ９０が配置される。そして、リード／ライトモジュール９１はこのアンテナ９０を介して、カセットラベル１のＩＣ２０に対する電力の供給、および、制御を行う。すなわち、ＩＣ２０内の信号処理部がメモリよりデータを読み出し、アンテナ３０およびアンテナ９０を介してリード／ライトモジュール９１へ転送を行ったり、あるいは、リード／ライトモジュール９１からＩＣ２０に対してデータを転送して、ＩＣ２０内の信号処理部がそのデータをメモリに記録する動作を行う。
なお、リード／ライトモジュール９１はさらにＶＴＲ装置側の信号処理部（ＣＰＵ）に接続され、ＶＴＲ装置本体側からコントロールされるようになっている。
【００２９】
なお、このような動作によりＩＣ２０には、ビデオテープに記録する各ビデオデータの、カットごとの記録位置、記録時刻、記録場所、記録時間などのデータや、その記録内容を示すタイトルなどの情報、そのカットから得られたインデックスピクチャ、または、撮影者が撮影時に入力したたとえばグッドショットマークなどの情報、などが記録される。また、ビデオテープに記録されたビデオデータ全体の記録時刻、記録時間、記録場所、記録条件、記録内容を示す情報、撮影者、編集者、編集回数、テープの使用回数、および、ショットのテイクナンバーなどの情報も記録される。
【００３０】
このように、本実施例のカセットラベルにおいては、何らかの図形を記載してビデオカセットテープ２に貼着し、そのビデオカセットテープの識別および内容把握を行うという、通常のカセットラベルと全く同じように使用することができる。
そして、このカセットラベルをビデオカセットテープ２に貼着して使用すれば、その内部に有するＩＣ２０に対して、種々のデータを記録することができる。すなわち、メモとして書き留めていたような記録条件や、記録内容に係わる情報を、このカセットラベル１に記録することができる。
【００３１】
そして、本実施のカセットラベルにおいては、剥離紙１８に記載してある切断位置および切断禁止領域に従ってカセットラベルを切断することによりたとえばＬカセット、Ｍカセット，Ｓカセットのいずれのカセットにも適切に貼着することのできるカセットラベルを作成することができる。
【００３２】
なお、本発明は、本実施例に限れるものではなく、種々の改変が可能である。たとえば、前述した実施例においては、３／４インチビデオカセット用のラベルについて説明したが、１／２インチ用のラベルも同様に作成することができる。図６および図７にその１／２インチ用カセットの例を示す。
この場合は、カセットラベルは、サイズの大きいＶＨＳカセット用のサイズでつくられている。そして、剥離紙１８に、サイズが小さいベータ用の切り取りライン１８８および１８９が表示され、さらにＩＣ２０およびアンテナ３０上には切断禁止マーク１９０が記載されている。
したがって、使用するビデオカセットに合わせて、適宜切断すれば、このカセットラベルよりＶＨＳカセット用のラベル１ｆと、ベータカセット用のラベル１ｅの両方が生成され、図７に示すように各カセットの背面に貼着されて用いられる。
【００３３】
また、カセットラベルに実装される回路も、任意の回路を実装してよい。本実施例においては、１個のＩＣであるかのように説明をしたが、周辺回路を含む回路や、２つのＩＣで構成される回路であってもよく、１個のＩＣに限定されるものではない。
その他、アンテナの形状、各部材の材質、それらを接合する時に用いる接着剤、ビデオカセットテープの種類、そのサイズ、図５に示した外部アンテナの形態、外部リード／ライトモジュールの構成、ＩＣへ記録する情報の種類などは、何ら本実施例に限定されるものではなく、任意に改変してよい。
【００３４】
【発明の効果】
以上説明したように、本発明によれば、カセットラベルを種々のカセットテープに丁度合うように適切な大きさで、さらに、収容されているアンテナやＩＣを切断してしまうことなく、適切に切断することができ、これにより種類の増加を防ぎ容易に管理できるような、カセットラベルを提供することができる。
【図面の簡単な説明】
【図１】本発明の一実施例のカセットラベルの構成を示す図であり、（Ａ）は上面図であり、（Ｂ）は側面図であり、（Ｃ）は裏面図である。
【図２】図１に示したカセットラベルの具体的構造を示す図である。
【図３】図１に示したカセットラベルの所定の位置を切断して作成された３種類のカセットラベルが、各々Ｌカセット、Ｍカセット、Ｓカセットに貼着されている状態を示す図である。
【図４】図１に示したカセットラベルが所望の小さな断片に切断されてビデオカセットテープのインデックス貼着面に貼着されている状態を示す図である。
【図５】カセットラベルの装着されたビデオカセットテープを、ビデオデータ記録再生装置に装着し、カセットラベル内のＩＣに対してデータの転送が行われる状態を示す図である。
【図６】本発明の他の実施例のカセットラベルを示す図であり、（Ａ）は側面図であり、（Ｂ）は裏面図である。
【図７】図６に示したカセットラベルの所定の位置を切断して作成された２種類のカセットラベルが、各々ＶＨＳカセット、ベータカセットに貼着されている状態を示す図である。
【図８】従来のカセットラベルの構成を示す図であり、（Ａ）は上面図であり、（Ｂ）は側面図である。
【図９】図８に示したカセットラベルをカセットテープに貼着している状態を示す図である。
【図１０】図８に示したカセットラベルを任意の位置で切断して用いた場合を示す図であり、（Ａ）は元のカセットラベルを示す図、（Ｂ）は各々異なる位置で切断されたカセットラベルを示す図である。
【符号の説明】
１…カセットラベル、２…ビデオカセットテープ、３…カセットラベルの装着されたビデオカセットテープ、１０…ラベル基体、１１…ラベル本体、１１１…記入面、１２…コート紙、１３…感圧性接着剤、１４…補強材、１５…感圧性接着剤、１６…ポリイミド基板、１７…両面接着剤、１８…剥離紙、２０…ＩＣ、３０…アンテナ、５４…凹部、５５…蓋、９０…アンテナ、９１…リード／ライトモジュール
【図１】
0003669100.tif 000002
【図２】
0003669100.tif 000003
【図３】
0003669100.tif 000004
【図４】
0003669100.tif 000005
【図５】
0003669100.tif 000006
【図６】
0003669100.tif 000007
【図７】
0003669100.tif 000008
【図８】
0003669100.tif 000009
【図９】
0003669100.tif 000010
【図１０】
0003669100.tif 000011